(57)【要約】【課題】衣類を取り出した後、残りの衣類の容量を計測することで、自動的に残りの運転を適切な行程に設定し直し、容易に運転を継続することのできる洗濯乾燥機を提供する。【解決手段】洗濯機の設定状態を操作する操作手段と、洗濯情報を報知する洗濯情報報知手段を備えた洗濯機において、使用者が衣類を取り出したい行程や状態を設定し運転を開始した後、取り出したい行程や状態になるまでの残り時間を表示し、その行程や状態に遷移した際、前記洗濯情報報知手段を通じて使用者に報知して衣類の取り出しタイミングを知らせ、使用者が衣類を取り出せる状態にし、衣類を取り出した後、残りの衣類の容量を計測することで、自動的に残りの運転を適切な行程に設定し直し、運転を継続するようにした。【選択図】  図１
2011045392.tif 000002
【特許請求の範囲】
【請求項１】
洗濯機の運転を設定する操作手段と、洗濯情報を報知する洗濯情報報知手段を備えた洗濯機において、
前記操作手段の操作により使用者が衣類を取り出すタイミングを設定する手段と、
前記タイミングの際に使用者に報知して、使用者が衣類を取り出せる状態にする手段と、
衣類を取り出した後、残りの衣類の容量を計測して、残りの衣類の量に応じた運転を再度設定する手段と、
前記設定された内容で運転を継続することを特徴とする洗濯機。
【請求項２】
洗濯機の設定状態を操作する操作手段と、洗濯情報を報知する洗濯情報報知手段を備えた洗濯機において、
使用者が衣類を取り出す行程を設定し運転を開始した後、前記行程になるまでの残時間を表示し、その行程に遷移した際、前記洗濯情報報知手段を通じて使用者に報知して衣類の取り出しタイミングを知らせ、使用者が衣類を取り出せる状態にし、衣類を取り出した後、残りの衣類の容量を計測して残りの運転を適切な行程に設定し直し、運転を継続することを特徴とする洗濯機。
【請求項３】
洗濯機の設定状態を操作する操作手段と、洗濯情報を報知する洗濯情報報知手段を備えた洗濯機において、使用者が衣類を取り出す状態を設定し運転を開始した後、取り出したい状態になるまでの残時間を表示し、その状態に遷移した際、前記洗濯情報報知手段を通じて使用者に報知して衣類の取り出しタイミングを知らせ、使用者が衣類を取り出せる状態にし、衣類を取り出した後、残りの衣類の容量を計測して残りの運転を適切な行程に設定し直し、運転を継続することを特徴とする洗濯機。
【請求項４】
洗濯機の運転を設定する操作手段と、洗濯情報を報知する洗濯情報報知手段と、乾燥工程を有する洗濯乾燥機において、
乾き具合を検知できる手段を備え、
取り出したい衣類の乾き具合を選択する手段と、
乾燥中に指定した乾き具合になったことを報知し、使用者が衣類を取り出せる状態にする手段と、
衣類を取り出した後、残り衣類の容量を計測して残りの運転を適切な行程に設定し直し、引き続き乾燥運転を継続することを特徴とする洗濯乾燥機。
【請求項５】
「コース全体の所要時間」表示に加え、「指定した一時停止行程までの所要時間」も併せて確認でき、一時停止後の再スタート時に「残りの衣類の容量に対応した運転終了までに必要な所要時間」を再計算できる手段を備えることを特徴とする請求項２から３のいずれかに記載の洗濯機。
【請求項６】
一時停止中にドアが開けられるまで、報知音や音声ガイドを一定間隔おきに繰り返し報知する手段を備えることを特徴とする請求項２から３のいずれかに記載の洗濯機。
【発明の詳細な説明】
【技術分野】
【０００１】
本発明は洗濯機に関する。
【背景技術】
【０００２】
槽の回転や熱や風によって縮み易い衣類や、ボタン等の付属品が傷つきやすい衣類（タンブラー乾燥禁止）や、デリケート衣類は、他の衣類に比べ扱い方を注意しなければならない。
【０００３】
例えば、「タンブラー乾燥禁止の衣類」と「通常の衣類」を、同時に洗乾コースで運転する場合、乾燥行程に入る前の脱水行程中に、「タンブラー乾燥禁止」の衣類を取り出さなければならない。そのため、使用者が脱水行程に入ったかどうかをこまめに表示パネルを見て確認し、脱水行程終了後、手動で一時停止し衣類を取り出す必要がある。
【０００４】
上記の方法では、使用者が常に洗濯機の行程状況を意識しなければならないため、不便である。また、取り出したい行程を見逃し、運転が継続して行われてしまった場合、衣類を傷つけてしまう恐れがある。
【０００５】
また、「タンブラー乾燥禁止の衣類」は、洗濯コースで運転し、「通常の衣類」は、洗乾コースで運転する方法もあるが、ランニングコストがかかってしまうため、まとめて洗うことが好まれる。
【０００６】
さらに、洗濯コースで「タンブラー乾燥禁止の衣類」と「通常の衣類」を運転後、「タンブラー乾燥禁止」の衣類を取り出し、再度残りの衣類を乾燥コースで運転する方法では、操作の手間がかかってしまい、使用者に対して、使い勝手を悪化させてしまう。
【０００７】
一部の衣類をアイロンがけするために、乾き具合が低い状態（シワが少ない，生乾き状態）で取り出し、残りの衣類は完全に乾燥させたい場合がある。このような場合、使用者は、槽内の乾き具合を確かめるため、手動で一時停止させ槽内の温度が低くなるのを待ってから、一部の衣類を取り出し、再度残りの衣類を乾燥コースの最初から運転させる方法がある。
【０００８】
また、「アイロンがけコース」等の乾き具合が低い状態で終了するコースで運転し、一部の衣類を取り出してから、再度指定した乾燥コースの運転を最初から行う方法がある。
【０００９】
このような方法では、上記と同様に、操作の手間がかかってしまい、使用者に対して使い勝手を悪化させてしまう。また、残りの衣類に対して、乾燥コースの最初から行うことになるため時間がかかり、ランニングコストがかかってしまう。
【００１０】
このような問題を解決するため、従来技術として、任意の行程終了時の報知を選択的に設定し実行できるようにしたことを特徴とする洗濯乾燥機があげられている（特許文献１，２）。
【先行技術文献】
【特許文献】
【００１１】
【特許文献１】特開２００２−２３９２８６号公報
【特許文献２】特開２００６−６１４７４号公報
【発明の概要】
【発明が解決しようとする課題】
【００１２】
しかし、上記の方法では、運転が一時停止され、使用者が衣類を取り出した後に、洗濯機にどのくらいの容量が残っているかわからないため、再スタート後に実施する行程（モータ回転数や回転時間，水量，乾燥判定値等）は、スタート前の衣類を取り除いていない状態で設定した行程と同じ内容となってしまう。この場合、衣類の容量に対して、適切な運転が行われないため、衣類を傷つけたり、乾燥し過ぎたりしてしまう恐れがある。
【００１３】
本発明では、上記問題に鑑み、運転途中で衣類を取り出した場合でも、適切な運転を継続する洗濯機を提供することを目的とする。
【課題を解決するための手段】
【００１４】
洗濯機の運転を設定する操作手段と、洗濯情報を報知する洗濯情報報知手段を備えた洗濯機において、前記操作手段の操作により使用者が衣類を取り出すタイミングを設定する手段と、前記タイミングの際に使用者に報知して、使用者が衣類を取り出せる状態にする手段と、衣類を取り出した後、残りの衣類の容量を計測して、残りの衣類の量に応じた運転を再度設定する手段と、前記設定された内容で運転を継続することを特徴とする。
【発明の効果】
【００１５】
本発明では、使用者が衣類を取り出した後に、残りの衣類の容量を計測することにより、残りの衣類に対して適切な運転を行うことができる。このため、衣類を痛めることなく、最適な状態で仕上げることができる。
【図面の簡単な説明】
【００１６】
【図１】本発明の一実施例の形態を示す操作パネル図。
【図２】本発明の一実施例における設定方法を示す図。
【図３】本発明の一実施例における制御内容を示すフローチャート。
【図４】本発明の一実施例の形態を示す洗濯機の模式図。
【図５】本発明の一実施例の形態を示すブロック図。
【図６】本発明の一実施例の形態を示す操作パネル図。
【図７】本発明の一実施例における設定方法を示す図。
【図８】本発明の一実施例における制御内容を示すフローチャート。
【図９】本発明の一実施例の形態を示す操作パネル図。
【図１０】本発明の一実施例における設定方法を示す図。
【発明を実施するための形態】
【００１７】
以下、本発明の一実施例を図面に基づいて説明する。図１は、本発明の一実施例の形態を示す操作パネル図、図２は、本発明の一実施例における設定方法を示す図、図３は、本発明の一実施例における制御内容を示すフローチャート、図４は、本発明の一実施例の形態を示す洗濯機の模式図、図５は、本発明の一実施例の形態を示すブロック図、図６は、本発明の一実施例の形態を示す操作パネル図、図７は、本発明の一実施例における設定方法を示す図、図８は、本発明の一実施例における制御内容を示すフローチャート、図９は、本発明の一実施例の形態を示す操作パネル図、図１０は、本発明の一実施例における設定方法を示す図である。
【００１８】
図４はドラム式洗濯乾燥機の外観図である。まず筐体４０１があり、筐体４０１の前面には洗濯物の出し入れのためのドア４０２がある。
【００１９】
ドア４０２上部右側にはドアの開閉を行うドア開閉ボタン４０３が備わっている。また前面上部左側には洗剤を投入するための洗剤トレー４０４があり、前面上部中央には使用者が洗濯工程を選択するための操作パネル１がある。
【００２０】
前面上部右側には乾燥運転に伴い発生するリントを捕集するフィルタを収納した乾燥フィルタパネル４０５がある。下部には筐体４０１を支えるベース４０６がある。
【００２１】
またベース４０６の４隅には脚部があり床と接触している。ベース４０６の側面からは洗濯によって生じる排水を排水溝へと流すための流路となる排水ホースが配されている。
【００２２】
ドラム式洗濯乾燥機の筐体４０１があり、その内部には弾性支持体である吊りバネ及び吊りバネ，サスペンションにて弾性支持された外槽が設けられている。
【００２３】
外槽の内側には衣類の洗浄，すすぎ，脱水を行うための洗濯兼脱水槽が回転可能な状態で取付けられている。
【００２４】
この洗濯兼脱水槽はモータからなる駆動手段により回転駆動されて、洗浄，すすぎ，脱水を実施することが可能となる。
【００２５】
図５は、本発明の一実施例の形態を示すブロック図である。
【００２６】
本実施例の洗濯機は、不揮発性記憶手段１３を備えたマイクロコンピュータ１２と、操作スイッチ１４と報知手段１５からなる操作パネル１と、出力装置５〜１０と、駆動回路２０と、入力装置１６〜１９と、電源１１と、電源リレー３と、負荷リレー４により構成される。
【００２７】
操作パネル１の電源「入」キー１０１が押されると、コンセントから供給させる電源が電源１１の整流回路により変圧，整流され、マイクロコンピュータ１２が通電し電源リレー３が入る。マイクロコンピュータ１２には、操作スイッチ１４，水位センサ１６，振動センサ１７，回転センサ１８，温度センサ１９等からの入力信号が与えられ、予め定められたプログラムに従い、主給水弁５，補助給水弁６，排水弁７，風呂水ポンプ８，循環ポンプ９，モータ１０，表示ＬＥＤ（ＬＣＤ）たる報知手段１５等を制御する。駆動回路２０はマイクロコンピュー１２からの指示に従って導通状態を制御して従属する負荷への給電制御を行い、洗い，すすぎ，脱水，乾燥の各工程を実行する。洗濯が終了すると、マイクロコンピュータ１２からの信号で負荷リレー４を切り、電源の供給を遮断する。
【００２８】
図１，図６，図１０に示す操作パネルは、洗い時間，すすぎ回数，脱水時間，乾燥時間を設定するキー１０７〜１１０と、洗濯コース，洗乾コース，乾燥コースを設定するキー１０３〜１０４と、スタート・一時停止キー１０６と、洗い時間，すすぎ回数，脱水時間，乾燥時間を表示する７セグメントＬＥＤ１１１〜１１４と、工程の残時間を表示する７セグメントＬＥＤ１１５と、コースを表示するＬＥＤ１１６と、衣類取り出し工程（状態）を設定するキー２１，２６と、衣類を取り出す工程表示２２〜２５、２７〜３０から構成される。
【００２９】
また、報知手段１５は、ＬＥＤやＬＣＤによる表示手段とブザーやスピーカなどの音声ガイドで構成され、運転中の工程の報知や注意表示などの必要に応じて、適宜選択して使用者に報知するものである。
【実施例１】
【００３０】
実施例の操作パネルを図１に、衣類の取り出し行程の設定方法を図２に、一連動作を図３のフローチャートに示す。
【００３１】
一例として、洗乾コースを運転し、「脱水終了後」に、一部の衣類を取り出し、残りの衣類は乾燥まで行う場合の説明をする。
【００３２】
図３のフローチャートにおいて、電源「入」キー１０１を押下し通電する（Ｓ１「Ｙｅｓ」）と、表示パネルは初期表示になる。そして、使用者が、「洗乾コース」キー１０４により洗乾コースの設定を行い（Ｓ２）、洗い時間を洗いキー１０７で設定すると、その時間が洗い時間表示１１１に表示される。
【００３３】
同様にして、すすぎ回数をすすぎキー１０８で、脱水時間を脱水キー１０９で、乾燥時間を乾燥キー１１０で詳細設定する。
【００３４】
次に、図２のＤ表示のように、衣類を取り出したい行程である「脱水終了後」を、「衣類取り出し行程設定」キー２１で設定する（Ｓ３）。
【００３５】
設定完了後、「スタート」キー１０６を押下する（Ｓ４「Ｙｅｓ」）と、ドアロックし（Ｓ５）、センシングを実施して衣類の容量を測定し（Ｓ６）、設定された洗い，すすぎ，脱水工程を行う（Ｓ７〜Ｓ９）。
【００３６】
そして、脱水行程が終了した時、ドアロックを解除し（Ｓ１０）、衣類が取り出せる状態にする。同時に、音声ガイド等で「脱水が終了し、一時停止しています。衣類を取り出して下さい」とガイダンスし、図１の「脱水終了後」ＬＥＤ２４を点滅させ、脱水行程が終了したことを使用者に知らせる（Ｓ１１）。
【００３７】
報知音を聞いた使用者は、洗濯機のドアを開け（Ｓ１２）、脱水終了後に一部の衣類を取り出す（Ｓ１３）。乾燥完了まで行いたい残りの衣類を入れた状態で、ドアを閉め（Ｓ１４）、「スタート」キー１０６を押下する（Ｓ１５「Ｙｅｓ」）と、ドアロック後（Ｓ１６）に、残りの衣類の容量をセンシング（Ｓ１７）し、衣類の容量による最適な行程内容を設定し直す（Ｓ１８）。そして、残時間を再計算して、使用者に適切な残時間を再表示した後（Ｓ１９）、乾燥行程を実施し、残りの衣類を乾燥させることができる。これにより、衣類を痛めることなく、最適な状態で仕上げることができる。
【００３８】
また、取り出す設定があった場合は、事前に衣類の変化を考慮して、行程自体を変えておいてもよい。
【００３９】
また、洗い終了後の水が溜まった状態で、一時停止させておきたい場合は、「衣類取り出し行程設定」キー２１で「洗い終了後」を設定することにより、自動的に水が溜まった状態で停止させておくことができる。すすぎ終了後，乾燥初期終了後に運転を停止し、衣類の一部を取り出したい場合も、同様の方法で行うことができる。
【００４０】
「スタート」キー１０６の押下による再スタートは、ドアやフタを使用者が閉めたことを検知できる手段をもつ場合は、これを検知した後に、自動的に再スタートさせてもよい。
【実施例２】
【００４１】
第二の実施例の操作パネルを図６に、衣類の取り出し状態の設定方法を図７に、一連動作を図８のフローチャートに示す。
【００４２】
一例として、乾燥コースを運転し、「乾き具合：弱め」の時に、一部の衣類を取り出し、残りの衣類は乾燥完了時まで行う場合の説明をする。
【００４３】
電源「入」キー１０１を押下し通電する（Ｓ３１「Ｙｅｓ」）と、表示パネルは初期表示になる。そして、使用者が、「乾燥コース」キー１０５により乾燥コースの設定を行い（Ｓ３２）、乾燥時間を乾燥キー１１０で詳細設定する。次に、図７のＢ表示のように、衣類を取り出したい行程である「乾き具合：弱め」を、「衣類取り出し状態設定」キー２６で設定する（Ｓ２３）。設定完了後、「スタート」キー１０６を押下する（Ｓ３４「Ｙｅｓ」）と、ドアロックし（Ｓ３５）、センシングを実施して衣類の容量を測定し（Ｓ３６）、設定された乾燥工程を行う（Ｓ３７）。
【００４４】
そして、乾燥行程中に温度センサや湿度センサ等で乾き具合が弱め状態であることを検知すると（Ｓ３８「Ｙｅｓ」）、槽内の温度を低くし、ドアロックを解除し（Ｓ４０）、衣類が取り出せる状態にする。同時に、音声ガイド等で「乾き具合が弱めの状態で一時停止しています。衣類を取り出して下さい」とガイダンスし、図６の「乾き具合：弱め」ＬＥＤ２７を点滅させ、乾き具合が弱めの状態であることを使用者に知らせる（Ｓ３９）。
【００４５】
報知音を聞いた使用者は、洗濯機のドアを開け（Ｓ４０）、乾き具合が弱めの状態の時に一部の衣類を取り出す（Ｓ４１）。乾燥完了まで行いたい残りの衣類を入れた状態で、ドアを閉め（Ｓ４２）、「スタート」キー１０６を押下する（Ｓ４３「Ｙｅｓ」）と、ドアロック後（Ｓ４４）に、残りの衣類の容量をセンシング（Ｓ４５）し、衣類の容量による最適な行程内容を設定し直す（Ｓ４６）。そして、残時間を再計算して、使用者に適切な残時間を再表示した後（Ｓ４７）、乾燥行程を実施し、残りの衣類を乾燥させることができる。これにより、衣類を痛めることなく、最適な状態で仕上げることができる。また、取り出す設定があった場合は、事前に衣類の変化を考慮して、行程自体を変えておいてもよい。
【００４６】
また、衣類の取り出したい「行程」と「状態」の両方を指定することもできる。
【００４７】
乾燥の具合として、「干す前」，「アイロンがけ」状態で、一時停止させておきたい場合は、図９のような操作パネル，図１０のような設定方法となる。「干す前」とは脱水終了後のシワ取り状態で一時停止させたい場合、「アイロンがけ」とは乾燥度の低い状態で、シワが少ない状態で一時停止させたい場合を表している。
【００４８】
実施例１または実施例２において、衣類取り出しの設定を行った場合は、行程がスタートする（Ｓ４，Ｓ３４）と「コース全体の所要時間」表示に加え、例えば「衣類取り出し行程設定」キー２１を押下すると「指定した一時停止行程までの所要時間」を確認できるようにする。あるいは、「衣類取り出し行程設定」キー２１長押し設定等で、常に「指定した一時停止行程までの所要時間」を表示するように変更することができる。これにより、取り出すまでの所要時間が把握でき、こまめに表示パネルを確認しに行く必要がなくなり、使い勝手を向上させることができる。
【００４９】
また、再スタートする時に、衣類が減るため容量のセンシングをやり直した際（Ｓ１７，Ｓ４５）に、「運転終了までに必要な所要時間」を再度適切な時間に計算し（Ｓ１８，Ｓ４６）、表示することにより（Ｓ１９，Ｓ４７）、使用者に正確な残時間を知させることができる。
【００５０】
さらに、一時停止中にドアが開けられるまで、報知音や音声ガイドを一定間隔おきに繰り返し鳴動ことにより、使用者が報知音に気づかなかった場合にも再度知らせることができる。また、音声の音量を、一定間隔おきに徐々に大きくしていくなど、使用者が気づくように音量を変化させることにより、衣類が放置されることを防ぐことができる。
【符号の説明】
【００５１】
１  操作パネル
１２  マイクロコンピュータ
１４  操作スイッチ
１５  報知手段
２１  衣類取り出し行程設定キー
２２〜２５  衣類取り出し行程表示
２６  衣類取り出し状態設定キー
２７〜３０  衣類取り出し状態表示
１０１  「入」キー
１０２  「切」キー
１０３  洗濯コースキー
１０４  洗乾コースキー
１０５  乾燥コースキー
１０６  スタート・一時停止キー
１０７  洗いキー
１０８  すすぎキー
１０９  脱水キー
１１０  乾燥キー
１１１  洗い時間表示
１１２  すすぎ回数表示
１１３  脱水時間表示
１１４  乾燥時間表示
１１５  残時間表示
１１６  コースＬＥＤ表示
【図１】
2011045392.tif 000003
【図２】
2011045392.tif 000004
【図３】
2011045392.tif 000005
【図４】
2011045392.tif 000006
【図５】
2011045392.tif 000007
【図６】
2011045392.tif 000008
【図７】
2011045392.tif 000009
【図８】
2011045392.tif 000010
【図９】
2011045392.tif 000011
【図１０】
2011045392.tif 000012